(57)【特許請求の範囲】
【請求項１】
コンクリートを打設する空間を形成する一対の型枠板（１５）について、セパレータ（１６）を用いて所定の間隔に保持するコンクリート型枠用保持具（１）であって、
前記セパレータ（１６）に連結されると共に、前記型枠板（１５）に着脱自在に取り付けられる軸足本体（１１）と、
前記軸足本体（１１）の一端に形成された、前記セパレータ（１６）軸端部のねじ部（１７）に螺合される、外周が円筒状の雌ねじ筒部（１２）と、
前記軸足本体（１１）の他端に形成された、前記型枠板（１５）に開けられた挿通孔（１８）に挿通させて該型枠板（１５）を挟持固定するために、型枠締結具（２２）に螺合される雄ねじ部（１３）と、
前記雄ねじ部（１３）の先端外周部に形成された、工具を当てて回動させ得る回動用平行面（５９）と、
前記軸足本体（１１）の中間に一体形成された、雌ねじ筒部（１２）側に截頭円錐状面部（２０）を雄ねじ部（１３）側に平坦面部（２１）をそれぞれ有する鍔形状の係止用円板部（１４）と、を備え、
前記係止用円板部（１４）の外径（Ｌ１）が、前記軸足本体（１１）の雄ねじ部（１３）の外径（Ｌ３）の３倍から４倍の長さを有し、
前記係止用円板部（１４）の平坦面部（２１）を、前記型枠板（１５）の挿通孔（１８）周囲に密着するように当接させて、該型枠板（１５）を挟持固定すると共に、
コンクリート（Ｃ）が硬化した際に、前記係止用円板部（１４）の截頭円錐状面部（２０）により該コンクリート（Ｃ）に密着している型枠板（１５）の挿通孔（１８）を破損しないように該型枠板（１５）を剥離するために、前記軸足本体（１１）に形成された前記回動用平行面（５９）に工具を当てて該軸足本体（１１）を前記セパレータ（１６）から取り外せるように構成した、ことを特徴とするコンクリート型枠用保持具。
【請求項２】
コンクリートを打設する空間を形成する一対の型枠板（１５）について、セパレータ（１６）を用いて所定の間隔に保持する連結ねじ筒材（３１）と軸足材（４１）を有するコンクリート型枠用保持具（３）であって、
前記セパレータ（１６）軸端部のねじ部（１７）に螺合連結される第１雌ねじ筒部（３２）と、該第１雌ねじ筒部（３２）の反対側に前記軸足材（４１）と螺合連結される第２雌ねじ筒部（３３）を有し、内周に隔壁（３４）を有し、外周は工具で回動し得るように平坦面を有する連結ねじ筒材（３１）と、
前記連結ねじ筒材（３１）の第２雌ねじ筒部（３３）と螺合連結される第１雄ねじ部（４２）と、該第１雄ねじ部（４２）の反対側に前記型枠板（１５）に開けられた挿通孔（１８）に挿通させて該型枠板（１５）を挟持固定するために、型枠締結具（２２）に螺合される第２雄ねじ部（４３）と、から成る軸足材（４１）と、
前記第２雄ねじ部（４３）の先端外周部に形成された、工具を当てて回動させ得る回動用平行面（６５）と、
前記軸足材（４１）の中間に一体形成された、第１雄ねじ部（４２）側に截頭円錐状面部（４６）を、第２雄ねじ部（４３）側に平坦面部（４７）をそれぞれ有する鍔形状の係止用円板部(４４)と、を備え、
前記係止用円板部（４４）の外径（Ｌ４）が、前記軸足材（４１）の第２雄ねじ部（４３）の外径（Ｌ３）の３倍から４倍の長さを有し、
前記係止用円板部(４４)の平坦面部（４７）を、前記型枠板（１５）の挿通孔（１８）周囲に密着するように当接させて、該型枠板（１５）を挟持固定すると共に、
コンクリートが硬化した際に、前記係止用円板部(４４)の截頭円錐状面部（４６）により該コンクリートに密着している前記型枠板（１５）の挿通孔（１８）を破損しないように該型枠板（１５）を剥離するために、前記軸足材（４１）に形成された前記回動用平行面（６５）に工具を当てて前記軸足材（４１）を前記連結ねじ筒材（３１）から取り外せるように構成した、ことを特徴とするコンクリート型枠用保持具。
【請求項３】
一対の型枠板をセパレータ（１６）と型枠保持金具（１）とによって所定の間隔に固定して、コンクリート打設空間を区画形成し、該コンクリート打設空間を形成する型枠用保持具を用いたコンクリート壁体の構築方法であって、
前記型枠用保持具（１）が、
前記セパレータ（１６）に連結されると共に、前記型枠板（１５）に着脱自在に取り付けられる軸足本体（１１）と、
該軸足本体（１１）の一端に形成された、前記セパレータ（１６）軸端部のねじ部（１７）に螺合される、外周が円筒状の雌ねじ筒部（１２）と、
該軸足本体（１１）の他端に形成された、前記型枠板（１５）に開けられた挿通孔（１８）に挿通させて該型枠板（１５）を挟持固定するために、型枠締結具（２２）に螺合される雄ねじ部（１３）と、
前記雄ねじ部（１３）の先端外周部に形成された、工具を当てて回動させ得る回動用平行面（５９）と、
該軸足本体（１１）の中間に一体形成された、雌ねじ筒部（１２）側に截頭円錐状面部（２０）を、雄ねじ部（１３）側に平坦面部（２１）をそれぞれ有する鍔形状の係止用円板部（１４）と、を備え、
前記係止用円板部（１４）の外径（Ｌ１）が、前記軸足本体（１１）の雄ねじ部（１３）の外径（Ｌ３）の３倍から４倍の長さを有し、
コンクリート壁体の構築に際して、
前記回動用平行面（５９）に工具を当てて前記軸足本体（１１）を回動させることによって、前記セパレータ（１６）両軸端部のねじ部（１７）に、前記軸足本体（１１）の雌ねじ筒部（１２）を螺合させる工程と、
該軸足本体（１１）の雄ねじ部（１３）を前記型枠板（１５）の挿通孔（１８）に貫通させ、更に該軸足本体（１１）の中間に一体形成された係止用円板部（１４）の平坦面部（２１）を、該型枠板（１５）の挿通孔（１８）周囲に密着するように当接させて、該型枠板（１５）を係止させる工程と、
各軸足本体（１１）の雄ねじ部（１３）に、型枠締結具（２２）を螺合させて該型枠板（１５）を挟持固定し、一対の型枠板（１５）を所定間隔に保持する工程と、
一対の型枠板（１５）間に形成されるコンクリート打設空間内にコンクリートを打設する工程と、
該コンクリートの硬化後に、該軸足本体（１１）から該型枠締結具（２２）を外す工程と、
次に、該軸足本体（１１）に形成された前記回動用平行面（５９）に工具を当てて該軸足本体（１１）を取り外すことによって、係止用円板部（１４）の截頭円錐状面部（２０）によりコンクリート（Ｃ）に密着している型枠板（１５）の挿通孔（１８）を破損しないように該軸足本体（１１）の取り外しと同時に該型枠板（１５）を剥離する工程と、を有することを特徴とする型枠用保持具を用いたコンクリート壁体の構築方法。
【請求項４】
一対の型枠板をセパレータ（１６）と型枠保持具（３）とによって所定の間隔に固定して、コンクリート打設空間を区画形成し、該コンクリート打設空間を形成する型枠保持具を用いたコンクリート壁体の構築方法であって、
前記型枠用保持具（３）が、
前記セパレータ（１６）軸端部のねじ部（１７）に螺合連結される第１雌ねじ筒部（３２）と、該第１雌ねじ筒部（３２）の反対側に前記軸足材（４１）と螺合連結される第２雌ねじ筒部（３３）を有し、内周に隔壁（３４）を有し、外周は工具で回動し得るように平坦面を有する連結ねじ筒材（３１）と、
前記連結ねじ筒材（３１）の第２雌ねじ筒部（３３）と螺合連結される第１雄ねじ部（４２）と、該第１雄ねじ部（４２）の反対側に前記型枠板（１５）に開けられた挿通孔（１８）に挿通させて該型枠板（１５）を挟持固定するために、型枠締結具（２２）に螺合される第２雄ねじ部（４３）と、から成る軸足材（４１）と、
前記第２雄ねじ部（４３）の先端外周部に形成された、工具を当てて回動させ得る回動用平行面（６５）と、
該軸足材（４１）の中間に一体形成された、第１雄ねじ部（４２）側に截頭円錐状面部（４６）を、第２雄ねじ部（４３）側に平坦面部（４７）をそれぞれ有する鍔形状の係止用円板部(４４)と、を備え、
前記係止用円板部（４４）の外径（Ｌ４）が、前記軸足材（４１）の第２雄ねじ部（４３）の外径（Ｌ３）の３倍から４倍の長さを有し、
コンクリート壁体の構築に際して、
前記セパレータ（１６）軸端部のねじ部（１７）に、該連結ねじ筒材（３１）の第１雌ねじ筒部（３２）を螺合させる工程と、
前記回動用平行面（６５）に工具を当てて前記軸足材（４１）を回動させることによって、該連結ねじ筒材（３１）の第２雌ねじ筒部（３３）に、該軸足材（４１）の第１雄ねじ部（４２）を螺合させる工程と、
該軸足材（４１）の第２雄ねじ部（４３）を前記型枠板（１５）の挿通孔（１８）に貫通させ、更に該軸足材（４１）の中間に一体形成された係止用円板部(４４)の平坦面部（４７）を、該型枠板（１５）の挿通孔（１８）周囲に密着するように当接させて、該型枠板（１５）を係止させる工程と、
各軸足材（４１）の第２雄ねじ部（４３）に、型枠締結具（２２）を螺合させて該型枠板（１５）を挟持固定し、一対の該型枠板（１５）を所定間隔に保持する工程と、
一対の該型枠板（１５）間に形成されるコンクリート打設空間内にコンクリート（Ｃ）を打設する工程と、
該コンクリート（Ｃ）の硬化後に、該軸足材（４１）から該型枠締結具（２２）を取り外す工程と、
次に、硬化後のコンクリート（Ｃ）から、軸足材（４１）に形成された前記回動用平行面（６５）に工具を当てて、連結ねじ筒材（３１）と分離して該軸足材（４１）を取り外すことによって、係止用円板部(４４)の截頭円錐状面部（４６）によりコンクリート（Ｃ）に密着している型枠板（１５）の挿通孔（１８）を破損しないように該軸足材（４１）の取り外しと同時に該型枠板（１５）を剥離する工程と、を有することを特徴とする型枠用保持具を用いたコンクリート壁体の構築方法。
【発明の詳細な説明】
【技術分野】
【０００１】
本発明は、コンクリ−ト打設時に型枠を締め付けて保持するコンクリート型枠用保持具及びこれを用いたコンクリート壁体の構築方法に関する。
【背景技術】
【０００２】
従来から、コンクリート製の構造物を構築する際に、生コンクリートを目的の形状に硬化させるために、鋼板や合板等から構成される一対のコンクリート用型枠と、このコンクリート用型枠の内部空間を所定寸法に維持するための型枠用のセパレータを用いる。このセパレータは、型枠板を固定するために両端にねじ加工された鋼棒状の部材である。このセパレータの両端に、型枠板を内側から支持する一対の型枠用保持具を取り付けて型枠板を固定保持して型枠を組み立てている。
【０００３】
例えば、型枠用保持具として略円筒形状の合成樹脂製の型枠支持用コーンが広く用いられている。この型枠支持用コーンは雌ねじ部を有する保持具であり、その一側にセパレータを螺合連結し、その他側に軸足を螺合する。この軸足の他端を型枠板の挿通孔から貫通させ、突出した軸足の先端に型枠締結具を締め付ける。反対側の型枠支持用コーンも同様な作業を行い型枠板を挟持固定している。
【０００４】
この型枠内の空間にコンクリートを打設して、コンクリートが硬化した後、軸足とコーンを取り外して、型枠板を撤去する。これで、コンクリート壁体の構築が完了する。
【０００５】
コンクリ−トを打設する際に型枠板を固定することに関する技術が種々提案されている。例えば、特許文献１の特開２０１０−２４６４０号公報「コンクリート型枠対向間隔保持固定用具」のように、端部に雄ねじが形成された、所定長さを有する棒状のセパレータと、閉塞端および開放端を有し、前記閉塞端に、前記セパレータの前記一対の雄ねじのそれぞれと螺合する雌ねじが設けられた一対のコーンと、一端側に、前記セパレータの前記雄ねじが螺合する雌ねじが形成された、前記コーン開放端径より小さな外径の雌ねじ形成部を持つ締結部材を備えたコンクリート型枠対向間隔保持固定用具において、前記セパレータと前記コーンの材料に関して、両者が螺合してもネジ部が癒着しない異なった種類の材料を用いたものであって、コーン材料は任意の形状が形成できる加工性のある材料を選択し、セパレータ材料は該コーン材料より強度の強い材料を選択したコンクリート型枠対向間隔保持固定用具が提案されている。
【先行技術文献】
【特許文献】
【０００６】
【特許文献１】特開２０１０−２４６４０号公報
【発明の概要】
【発明が解決しようとする課題】
【０００７】
しかし、特許文献１に開示されたコンクリート型枠対向間隔保持固定用具は、「コーン」、「外装部材」、「ナット部材」、「当接部材」、「連結部材」、「フランジ部」等と部品点数が多く、その組み付ける作業に時間を要するという問題も有していた。このように部品点数が多いと、保管中に部品同士が当たって保持固定用具が破損するおそれもあった。
【０００８】
また、金属製品と合成樹脂製品とでは一度施工に使用すると、強度の相違から合成樹脂製品が破損しやすく再利用ができないという問題を有していた。
【０００９】
更に、コンクリート用型枠から型枠用保持具を取り外す際に、スパナ、レンチなどの工具を用いて外しているが、この工具で型枠用保持具を回すときに金属製ねじ部（ねじ山）を変形させることがあり、これに型枠締結具を螺合できず再利用ができないという問題を有していた。
【００１０】
本発明は、かかる問題点を解決するために創案されたものである。すなわち、本発明の目的は、軸足に型枠板を係止する部材を一体化することで、型枠板を安定して固定でき、また何回でも再利用することがき、更に硬化したコンクリート壁体から型枠板を容易に剥離することができ、解体作業を迅速に行うことができるコンクリート型枠保持具及びこれを用いたコンクリート壁体の構築方法を提供することにある。
【課題を解決するための手段】
【００１１】
第１発明のコンクリート型枠用保持具（１）は、コンクリートを打設する空間を形成する一対の型枠板（１５）について、セパレータ（１６）を用いて所定の間隔に保持するコンクリート型枠用保持具（１）であって、
前記セパレータ（１６）に連結されると共に、前記型枠板（１５）に着脱自在に取り付けられる軸足本体（１１）と、
前記軸足本体（１１）の一端に形成された、前記セパレータ（１６）軸端部のねじ部（１７）に螺合される、外周が円筒状の雌ねじ筒部（１２）と、
前記軸足本体（１１）の他端に形成された、前記型枠板（１５）に開けられた挿通孔（１８）に挿通させて該型枠板（１５）を挟持固定するために、型枠締結具（２２）に螺合される雄ねじ部（１３）と、
前記雄ねじ部（１３）の先端外周部に形成された、工具を当てて回動させ得る回動用平行面（５９）と、
前記軸足本体（１１）の中間に一体形成された、雌ねじ筒部（１２）側に截頭円錐状面部（２０）を雄ねじ部（１３）側に平坦面部（２１）をそれぞれ有する鍔形状の係止用円板部（１４）と、を備え、
前記係止用円板部（１４）の外径（Ｌ１）が、前記軸足本体（１１）の雄ねじ部（１３）の外径（Ｌ３）の３倍から４倍の長さを有し、
前記係止用円板部（１４）の平坦面部（２１）を、前記型枠板（１５）の挿通孔（１８）周囲に密着するように当接させて、該型枠板（１５）を挟持固定すると共に、
コンクリート（Ｃ）が硬化した際に、前記係止用円板部（１４）の截頭円錐状面部（２０）により該コンクリート（Ｃ）に密着している型枠板（１５）の挿通孔（１８）を破損しないように該型枠板（１５）を剥離するために、前記軸足本体（１１）に形成された前記回動用平行面（５９）に工具を当てて該軸足本体（１１）を前記セパレータ（１６）から取り外せるように構成した、ことを特徴とする。
【００１２】
第２発明のコンクリート型枠用保持具（３）は、コンクリートを打設する空間を形成する一対の型枠板（１５）について、セパレータ（１６）を用いて所定の間隔に保持する連結ねじ筒材（３１）と軸足材（４１）を有するコンクリート型枠用保持具（３）であって、
前記セパレータ（１６）軸端部のねじ部（１７）に螺合連結される第１雌ねじ筒部（３２）と、該第１雌ねじ筒部（３２）の反対側に前記軸足材（４１）と螺合連結される第２雌ねじ筒部（３３）を有し、内周に隔壁（３４）を有し、外周は工具で回動し得るように平坦面を有する連結ねじ筒材（３１）と、
前記連結ねじ筒材（３１）の第２雌ねじ筒部（３３）と螺合連結される第１雄ねじ部（４２）と、該第１雄ねじ部（４２）の反対側に前記型枠板（１５）に開けられた挿通孔（１８）に挿通させて該型枠板（１５）を挟持固定するために、型枠締結具（２２）に螺合される第２雄ねじ部（４３）と、から成る軸足材（４１）と、
前記第２雄ねじ部（４３）の先端外周部に形成された、工具を当てて回動させ得る回動用平行面（６５）と、
前記軸足材（４１）の中間に一体形成された、第１雄ねじ部（４２）側に截頭円錐状面部（４６）を、第２雄ねじ部（４３）側に平坦面部（４７）をそれぞれ有する鍔形状の係止用円板部(４４)と、を備え、
前記係止用円板部（４４）の外径（Ｌ４）が、前記軸足材（４１）の第２雄ねじ部（４３）の外径（Ｌ３）の３倍から４倍の長さを有し、
前記係止用円板部(４４)の平坦面部（４７）を、前記型枠板（１５）の挿通孔（１８）周囲に密着するように当接させて、該型枠板（１５）を挟持固定すると共に、
コンクリートが硬化した際に、前記係止用円板部(４４)の截頭円錐状面部（４６）により該コンクリートに密着している前記型枠板（１５）の挿通孔（１８）を破損しないように該型枠板（１５）を剥離するために、前記軸足材（４１）に形成された破損しないように該型枠板（１５）を剥離するために、前記軸足材（４１）に形成された前記回動用平行面（６５）に工具を当てて前記軸足材（４１）を前記連結ねじ筒材（３１）から取り外せるように構成した、ことを特徴とする。
【００１３】
第１発明のコンクリート型枠用保持具（１）を用いた構築方法は、一対の型枠板をセパレータ（１６）と型枠保持金具（１）とによって所定の間隔に固定して、コンクリート打設空間を区画形成し、該コンクリート打設空間を形成する型枠用保持具を用いたコンクリート壁体の構築方法であって、
前記型枠用保持具（１）が、
前記セパレータ（１６）に連結されると共に、前記型枠板（１５）に着脱自在に取り付けられる軸足本体（１１）と、
該軸足本体（１１）の一端に形成された、前記セパレータ（１６）軸端部のねじ部（１７）に螺合される、外周が円筒状の雌ねじ筒部（１２）と、
該軸足本体（１１）の他端に形成された、前記型枠板（１５）に開けられた挿通孔（１８）に挿通させて該型枠板（１５）を挟持固定するために、型枠締結具（２２）に螺合される雄ねじ部（１３）と、
前記雄ねじ部（１３）の先端外周部に形成された、工具を当てて回動させ得る回動用平行面（５９）と、
該軸足本体（１１）の中間に一体形成された、雌ねじ筒部（１２）側に截頭円錐状面部（２０）を、雄ねじ部（１３）側に平坦面部（２１）をそれぞれ有する鍔形状の係止用円板部（１４）と、を備え、
前記係止用円板部（１４）の外径（Ｌ１）が、前記軸足本体（１１）の雄ねじ部（１３）の外径（Ｌ３）の３倍から４倍の長さを有し、
コンクリート壁体の構築に際して、
前記回動用平行面（５９）に工具を当てて前記軸足本体（１１）を回動させることによって、前記セパレータ（１６）両軸端部のねじ部（１７）に、前記軸足本体（１１）の雌ねじ筒部（１２）を螺合させる工程と、
該軸足本体（１１）の雄ねじ部（１３）を前記型枠板（１５）の挿通孔（１８）に貫通させ、更に該軸足本体（１１）の中間に一体形成された係止用円板部（１４）の平坦面部（２１）を、該型枠板（１５）の挿通孔（１８）周囲に密着するように当接させて、該型枠板（１５）を係止させる工程と、
各軸足本体（１１）の雄ねじ部（１３）に、型枠締結具（２２）を螺合させて該型枠板（１５）を挟持固定し、一対の型枠板（１５）を所定間隔に保持する工程と、
一対の型枠板（１５）間に形成されるコンクリート打設空間内にコンクリートを打設する工程と、
該コンクリートの硬化後に、該軸足本体（１１）から該型枠締結具（２２）を外す工程と、
次に、該軸足本体（１１）に形成された前記回動用平行面（５９）に工具を当てて該軸足本体（１１）を取り外すことによって、係止用円板部（１４）の截頭円錐状面部（２０）によりコンクリート（Ｃ）に密着している型枠板（１５）の挿通孔（１８）を破損しないように該軸足本体（１１）の取り外しと同時に該型枠板（１５）を剥離する工程と、を有することを特徴とする。
【００１４】
第２発明のコンクリート型枠用保持具（３）を用いた構築方法は、一対の型枠板をセパレータ（１６）と型枠保持具（３）とによって所定の間隔に固定して、コンクリート打設空間を区画形成し、該コンクリート打設空間を形成する型枠保持具を用いたコンクリート壁体の構築方法であって、
前記型枠用保持具（３）が、
前記セパレータ（１６）軸端部のねじ部（１７）に螺合連結される第１雌ねじ筒部（３２）と、該第１雌ねじ筒部（３２）の反対側に前記軸足材（４１）と螺合連結される第２雌ねじ筒部（３３）を有し、内周に隔壁（３４）を有し、外周は工具で回動し得るように平坦面を有する連結ねじ筒材（３１）と、
前記連結ねじ筒材（３１）の第２雌ねじ筒部（３３）と螺合連結される第１雄ねじ部（４２）と、該第１雄ねじ部（４２）の反対側に前記型枠板（１５）に開けられた挿通孔（１８）に挿通させて該型枠板（１５）を挟持固定するために、型枠締結具（２２）に螺合される第２雄ねじ部（４３）と、から成る軸足材（４１）と、
前記第２雄ねじ部（４３）の先端外周部に形成された、工具を当てて回動させ得る回動用平行面（６５）と、
該軸足材（４１）の中間に一体形成された、第１雄ねじ部（４２）側に截頭円錐状面部（４６）を、第２雄ねじ部（４３）側に平坦面部（４７）をそれぞれ有する鍔形状の係止用円板部(４４)と、を備え、
前記係止用円板部（４４）の外径（Ｌ４）が、前記軸足材（４１）の第２雄ねじ部（４３）の外径（Ｌ３）の３倍から４倍の長さを有し、
コンクリート壁体の構築に際して、
前記セパレータ（１６）軸端部のねじ部（１７）に、該連結ねじ筒材（３１）の第１雌ねじ筒部（３２）を螺合させる工程と、
前記回動用平行面（６５）に工具を当てて前記軸足材（４１）を回動させることによって、該連結ねじ筒材（３１）の第２雌ねじ筒部（３３）に、該軸足材（４１）の第１雄ねじ部（４２）を螺合させる工程と、
該軸足材（４１）の第２雄ねじ部（４３）を前記型枠板（１５）の挿通孔（１８）に貫通させ、更に該軸足材（４１）の中間に一体形成された係止用円板部(４４)の平坦面部（４７）を、該型枠板（１５）の挿通孔（１８）周囲に密着するように当接させて、該型枠板（１５）を係止させる工程と、
各軸足材（４１）の第２雄ねじ部（４３）に、型枠締結具（２２）を螺合させて該型枠板（１５）を挟持固定し、一対の該型枠板（１５）を所定間隔に保持する工程と、
一対の該型枠板（１５）間に形成されるコンクリート打設空間内にコンクリート（Ｃ）を打設する工程と、
該コンクリート（Ｃ）の硬化後に、該軸足材（４１）から該型枠締結具（２２）を取り外す工程と、
次に、硬化後のコンクリート（Ｃ）から、軸足材（４１）に形成された前記回動用平行面（６５）に工具を当てて、連結ねじ筒材（３１）と分離して該軸足材（４１）を取り外すことによって、係止用円板部(４４)の截頭円錐状面部（４６）によりコンクリート（Ｃ）に密着している型枠板（１５）の挿通孔（１８）を破損しないように該軸足材（４１）の取り外しと同時に該型枠板（１５）を剥離する工程と、を有することを特徴とする。
【発明の効果】
【００１５】
第１発明の型枠用保持具（１）では、従来のような型枠支持用コーンを有していないので、保持具の重量の軽減化と小型化とが図ることができる。型枠保持具（１）を箱詰め梱包した場合にも、その搬入時の振動等によって型枠保持具（１）同士がぶつかり合っても損傷を来すことがない。更に、係止用円板部（１４）が軸足本体（１１）に一体形成された構成であるために、セパレータ（１６）との螺合が可能であれば、何度でも再利用することができる。
しかも、従来のコーンのように、コンクリート壁体から型枠用保持具を抜き取った際に、大きな穴が残ることがない。
【００１６】
第２発明の型枠用保持具（３）では、連結ねじ筒材（３１）と軸足材（４１）とが着脱自在に螺合連結することができるので、コンクリート（Ｃ）が硬化した際に、軸足材（４１）の第２雄ねじ部（４３）に形成された回動用係合部（４５）に工具を当ててこの軸足材（４１）を取り外すことができる。このとき連結ねじ筒材（３１）はセパレータ（１６）に連結されたままコンクリート（Ｃ）内に残るが、この連結ねじ筒材（３１）には隔壁（３４）が形成されているので、軸足材（４１）を取り外した隙間から浸水することを防止することができる。
また、連結ねじ筒材（３１）から取り外した軸足材（４１）は、セパレータ（１６）との螺合が可能であれば、何度でも再利用することができる。
更に、従来のコーンのように、コンクリート壁体から型枠用保持具を抜き取った際に、大きな穴が残ることがない。
【００１７】
第１発明の型枠用保持具（１）を用いたコンクリート壁体の構築方法では、係止用円板部（１４）の平坦面部（２１）を、型枠板（１５）の挿通孔（１８）周囲に密着するように当接させ、セパレータ（１６）に着脱自在に連結して型枠板（１５）を固定できるので、この型枠板（１５）を安定した状態で保持することができる。
係止用円板部(４４)が軸足本体（１１）に一体形成された構成であるために、セパレータ（１６）からこの軸足本体（１１）を外すと同時に、この係止用円板部（１４）が硬化したコンクリート壁体から型枠板（１５）を同時に剥離することができ、解体作業を迅速に行うことができる。
軸足本体（１１）に形成された回動用係合部（１９）は、その外径（Ｄ１）が、雄ねじ部（１３）のねじ山の外径（Ｄ２）より長い（Ｄ１＞Ｄ２）ので、工具で回動させる際に、この雄ねじ部（１３）のねじ山をつぶすことない。
【００１８】
第２発明の型枠用保持具（３）を用いたコンクリート壁体の構築方法では、連結ねじ筒材（３１）と軸足材（４１）とが着脱自在に螺合連結することができるので、係止用円板部(４４)の平坦面部（４７）を、型枠板（１５）の挿通孔（１８）周囲に密着するように当接させ、セパレータ（１６）に着脱自在に連結してセパレータ（１６）で型枠板（１５）を固定できるので、この型枠板（１５）を安定した状態で保持することができる。
係止用円板部(４４)が軸足本体（１１）に一体形成された構成であるために、セパレータ（１６）からこの軸足材（４１）を取り外す際、即ち連結ねじ筒材（３１）から軸足材（４１）を取り外す際に、この係止用円板部(４４)が硬化したコンクリート壁体から型枠板（１５）を同時に剥離することができ、型枠板（１５）の剥離作業を迅速に行うことができる。
軸足材（４１）に形成された回動用係合部（４５）は、その外径（Ｄ３）が、第２雄ねじ部（４３）のねじ山の外径（Ｄ４）より長い（Ｄ３＞Ｄ４）ので、工具で回動させる際に、この第２雄ねじ部（４３）のねじ山をつぶすことない。
【図面の簡単な説明】
【００１９】
【図１】実施例１のコンクリート型枠用保持具を示し、（ａ）は軸足本体の正面図、（ｂ）は軸足本体の左側面図、（ｃ）は軸足本体の右側面図である。
【図２】実施例１の型枠用保持具を用いたコンクリート壁体を構築する方法を示す説明図であり、（ａ）はセパレータに軸足本体を連結する状態、（ｂ）は軸足本体を型枠板に取り付け、型枠締結具を取り付ける状態、（ｃ）は完成した型枠にコンクリートを打設した状態である。
【図３】実施例１の型枠用保持具を用いたコンクリート壁体を構築する方法を示す説明図であり、（ｄ）は硬化したコンクリートから軸足本体の係止用円板部で型枠板を外す状態、（ｅ）はコンクリート壁体から軸足本体と型枠板とを完全に取り外した状態である。
【図４】実施例１の型枠用保持具を用いたコンクリート壁体を構築する方法を示す作業フロー図である。
【図５】実施例１の型枠用保持具の回動用係合部の変形例を示し、（ａ）は軸足本体の正面図、（ｂ）は軸足本体の左側面図、（ｃ）は軸足本体の右側面図である。
【図６】実施例１の係止用円板部の変形例を示し、（ａ）は軸足本体の正面図、（ｂ）は軸足本体の左側面図、（ｃ）は軸足本体の右側面図である。
【図７】実施例１の係止用円板部の変形例のコンクリート型枠用保持具をセパレータに連結し、型枠板に取り付けた状態を示す正面図である。
【図８】実施例２のコンクリート型枠用保持具を示し、（ａ）は連結ねじ筒材の正面図、（ｂ）は連結ねじ筒材の左側面図、（ｃ）は軸足材の正面図、（ｄ）は軸足材の左側面図、（ｅ）は軸足材の右側面図である。
【図９】実施例２の型枠用保持具を用いたコンクリート壁体を構築する方法を示す説明図であり、（ａ）はセパレータに連結ねじ筒材を連結する状態、（ｂ）は連結ねじ筒材に軸足材を連結する状態、（ｃ）は軸足材に型枠板を取り付け、型枠締結具を取り付ける状態である。
【図１０】実施例２のコンクリート壁体を構築する方法を示す説明図であり、（ｄ）は完成した型枠にコンクリートを打設した状態、（ｅ）は軸足材の係止用円板部により硬化したコンクリートから型枠板を外す状態、（ｆ）はコンクリート壁体から軸足材と型枠板とを完全に取り外した状態である。
【図１１】実施例２の型枠用保持具を用いたコンクリート壁体を構築する方法を示す作業フロー図である。
【図１２】実施例２の型枠用保持具の回動用係合部の変形例を示し、（ａ）は連結ねじ筒材の正面図、（ｂ）は連結ねじ筒材の左側面図、（ｃ）は軸足材の正面図、（ｄ）は軸足材の左側面図、（ｅ）は軸足材の右側面図である。
【図１３】実施例２の係止用円板部の変形例を示し、（ａ）は連結ねじ筒材の正面図、（ｂ）は連結ねじ筒材の左側面図、（ｃ）は軸足材の正面図、（ｄ）は軸足材の左側面図、（ｅ）は軸足材の右側面図である。
【図１４】実施例２の係止用円板部の変形例のコンクリート型枠用保持具をセパレータに連結し、型枠板に取り付けた状態を示す正面図である。
【図１５】実施例３のコンクリート型枠用保持具を示し、（ａ）は軸足本体の正面図、（ｂ）は軸足本体の左側面図、（ｃ）は軸足本体の右側面図である。
【図１６】実施例４のコンクリート型枠用保持具を示し、（ａ）は連結ねじ筒材の正面図、（ｂ）は連結ねじ筒材の左側面図、（ｃ）は軸足材の正面図、（ｄ）は軸足材の左側面図、（ｅ）は軸足材の右側面図である。
【発明を実施するための形態】
【００２０】
本発明のコンクリート型枠用保持具は、コンクリートを打設する空間を形成する一対の型枠板について、セパレータを用いて所定の間隔に保持する型枠用保持具である。
【実施例１】
【００２１】
以下、本発明の好ましい実施の形態を図面を参照して説明する。
＜実施例１のコンクリート型枠用保持具１の構成＞
図１は実施例１のコンクリート型枠用保持具を示し、（ａ）は軸足本体の正面図、（ｂ）は軸足本体の左側面図、（ｃ）は軸足本体の右側面図である。図２は実施例１の型枠用保持具を用いたコンクリート壁体を構築する方法を示す説明図であり、（ａ）はセパレータに軸足本体を連結する状態、（ｂ）は軸足本体を型枠板に取り付け、型枠締結具を取り付ける状態、（ｃ）は完成した型枠にコンクリートを打設した状態である。図３は実施例１の型枠用保持具を用いたコンクリート壁体を構築する方法を示す説明図であり、（ｄ）は硬化したコンクリートから軸足本体の係止用円板部で型枠板を外す状態、（ｅ）はコンクリート壁体から軸足本体と型枠板とを完全に取り外した状態である。
実施例１のコンクリート型枠用保持具１は、例えば金属製の軸足本体１１の一端に雌ねじ筒部１２を、他端に雄ねじ部１３を有し、軸足本体１１の中間に一体形成された係止用円板部１４を有する型枠用保持具である。この型枠用保持具１は、コンクリートＣを打設する空間を形成する一対の型枠板１５について、セパレータ１６を用いて所定の間隔に保持する際に使用する。なお、型枠用保持具１は金属製に限定されず、強靭な強度を有する材質であればプラスチックで製造することも可能である。
【００２２】
＜軸足本体１１の構成＞
軸足本体１１は、セパレータ１６に連結されて、型枠板１５に着脱自在に取り付けられる。軸足本体１１の一端に、セパレータ１６の軸端部に形成されたねじ部１７に螺合される、外周が円筒形状の雌ねじ筒部１２が形成されている。雌ねじ筒部１２の外周を円筒形状にして、コンクリートＣが硬化した後で、回動させながら抜きとれるようになっている。
【００２３】
また、軸足本体１１の他端に形成されている雄ねじ部１３は、型枠板１５に開けられた挿通孔１８に挿通させて型枠板１５を挟持固定するために、型枠締結具２２に螺合される。この軸足本体１１には、その雄ねじ部１３側に工具を当てて回動させる回動用係合部１９が形成されている。この回動用係合部１９は、軸足本体１１をセパレータ１６に連結する際にソケットレンチ、Ｔ字スライドハンドル式レンチ等の工具を用いて螺合する際に利用される。回動用係合部１９は、図１（ｃ）の右側面図に示すように、六角形状にした。
【００２４】
また、このセパレータ１６から取り外す際、硬化したコンクリートＣから型枠板１５を剥離する際にも利用される。軸足本体１１の回動用係合部１９が係止用円板部１４側に形成されているので、ソケットレンチ、Ｔ字スライドハンドル式レンチのような工具の先端を軸足本体１１に差し込み、その先端が適正な位置に当たれば、回動用係合部１９を捕らえたこと、即ち嵌合したことを意味する。そのまま回せばセパレータ１６から取り外すことができる。この工具で嵌合する回動用係合部１９の外径（Ｄ１）が、雄ねじ部１３のねじ山の外径（Ｄ２）より長いので（Ｄ１＞Ｄ２）、この工具で雄ねじ部１３のねじ山をつぶすことなく、回動させることができる。
【００２５】
＜係止用円板部１４の構成＞
軸足本体１１の中間に一体形成されている鍔形状の係止用円板部１４は雄ねじ部１３側に平坦面部２１を有する。雄ねじ部１３側に平坦面部２１を形成したのは、この面に型枠板１５が当接する際に密着して安定した状態でこの型枠板１５を挟持固定できるようにするためである。
【００２６】
本発明では、係止用円板部１４が軸足本体１１に一体形成された構成であるために、係止用円板部１４が軸足本体１１から分離しないので、雌ねじ筒部１２と雄ねじ部１３のねじ山が変形、破損せずに、セパレータ１６との螺合が可能な状態での使用であれば、何度でも再利用することができる。
【００２７】
この軸足本体１１の雄ねじ部１３に、型枠締結具２２を螺合して、型枠板１５を係止用円板部１４の平坦面部２１との間に挟持して固定する。これで一対の型枠板１５をセパレータ１６ごとの所定間隔で保持して、コンクリートＣを打設する空間を形成することができる。
【００２８】
このように構成されたコンクリート型枠用保持具１は、係止用円板部１４の平坦面部２１を、型枠板１５の挿通孔１８周囲に密着するように当接させ、セパレータ１６に着脱自在に連結してこのセパレータ１６で型枠板１５を固定することができる。その後、コンクリートが硬化した際に、係止用円板部１４でコンクリートＣに密着している型枠板１５を剥離するために、雄ねじ部１３に形成された回動用係合部１９に工具を当てて軸足本体１１を取り外すことができる。特に、この回動用係合部１９の外径（Ｄ１）が、雄ねじ部１３のねじ山の外径（Ｄ２）より長いので（Ｄ１＞Ｄ２）、この工具で雄ねじ部１３のねじ山をつぶすことなく、回動させることができる(図１（ａ）参照）。
【００２９】
また、本発明の型枠用保持具１では、従来のようなコンクリート製のコーンを有していないので、保持具の重量の軽減化と小型化とが図ることができる。型枠用保持具１を箱詰め梱包した場合にも、その搬入時の振動等によって型枠保持具１同士がぶつかり合っても損傷を来すことがない。従来のコーンのように、コンクリート壁体からこの型枠用保持具を抜き取った際に、大きな穴が残ることがない。
【００３０】
＜実施例１の型枠用保持具１を用いたコンクリート壁体の構築方法の作業＞
図４は実施例１の型枠用保持具を用いたコンクリート壁体を構築する方法を示す作業フロー図である。
実施例１のコンクリート型枠用保持具１を用いたコンクリート壁体の構築方法は、コンクリート壁体の構築に際しては、セパレータ１６に型枠用保持具１を螺合させる工程（図２（ａ））と、型枠用保持具１の軸足本体１１を型枠板１５に係止させ、型枠締結具２２で挟持固定し、一対の型枠板１５を所定間隔に保持する工程と、その後コンクリートＣを打設する工程（図２（ｃ））と、コンクリートＣの硬化後に、コンクリートＣから、型枠用保持具を取り外す工程（図３（ｄ））とを有する。
【００３１】
図２（ａ）に示すように、セパレータ１６に軸足本体１１の雌ねじ筒部１２を螺合させる工程では、セパレータ１６の両軸端部に形成されているねじ部１７に、軸足本体１１の雌ねじ筒部１２を螺合させる。これは１本のセパレータ１６に、その両側それぞれに、型枠用保持具１（軸足本体１１）を連結する。以下、同様に１本のセパレータ１６の両側に、型枠板１５と軸足本体１１を装着するものである。説明を簡略にするために一方の型枠用保持具１を取り付ける状態を示す。
【００３２】
図２（ｂ）に示すように、軸足本体１１を型枠板１５に係止させる工程では、型枠板１５の挿通孔１８に軸足本体１１の雄ねじ部１３を差し込み、この軸足本体１１の中間に一体形成された係止用円板部１４の平坦面部２１を、型枠板１５の挿通孔１８周囲に密着するように当接させて、型枠板１５を係止させる。
【００３３】
この軸足本体１１に型枠締結具２２を挟持固定する工程では、各軸足本体１１の雄ねじ部１３に、型枠締結具２２を螺合させて型枠板１５を挟持固定し、一対の型枠板１５を所定間隔に保持する。これらの各工程を経て型枠が形成される。
【００３４】
このような構成のコンクリート壁体の構築方法では、係止用円板部１４の平坦面部２１を、型枠板１５の挿通孔１８周囲に密着するように当接させている。そこで、型枠用保持具１（軸足本体１１）を、セパレータ１６に着脱自在に連結し、このセパレータ１６で型枠板１５を固定することができるので、この型枠板１５を安定した状態で保持することができる。
【００３５】
次に、図２（ｃ）に示すように、一対の型枠板１５間に形成されたコンクリート打設空間内にコンクリートＣを打設する。その後コンクリートＣが硬化するまで待つ。
【００３６】
最後に、図３（ｄ）に示すように、硬化したコンクリートＣから、軸足本体１１の雄ねじ部１３側に形成された回動用係合部１９に工具を当ててこの軸足本体１１を取り外すと同時に、この軸足本体１１には係止用円板部１４が一体形成されているのでコンクリートＣに密着している型枠板１５を容易に剥離することができる。このように、係止用円板部１４が硬化したコンクリート壁体から型枠板１５を同時に剥離することができるため、解体作業を迅速に行うことができる。なお、軸足本体１１を抜き取り、コンクリート壁体に形成された空洞部Ｄには栓（図示していない）で覆う（図３（ｅ）参照）。または、このセパレータ１６のねじ部１７を有効に利用することも可能である。
【００３７】
＜実施例１の回動用係合部１９の変形例＞
図５は実施例１の型枠用保持具の回動用係合部の変形例を示し、（ａ）は軸足本体の正面図、（ｂ）は軸足本体の左側面図、（ｃ）は軸足本体の右側面図である。
型枠用保持具１の回動用係合部１９は、上述した図示例のように断面形状で六角形状のものに限定されない。型枠用保持具１は取り外す際に、工具Ｔで回転させ得る形状であればよい。例えば、図５に示すように断面形状で八角形状にすることもできる。その他に工具と係合し得る形状であればこれらの六角形状、八角形状にも限定されない。長円形状、楕円形状にすることも可能である。その他種々の形状にすることができる。
【００３８】
＜実施例１の係止用円板部１４の変形例＞
図６は実施例１の係止用円板部の変形例を示し、（ａ）は軸足本体の正面図、（ｂ）は軸足本体の左側面図、（ｃ）は軸足本体の右側面図である。図７は実施例１の係止用円板部の変形例のコンクリート型枠用保持具をセパレータに連結し、型枠板に取り付けた状態を示す正面図である。
本発明の係止用円板部１４は、コンクリートＣから、軸足本体１１の雄ねじ部１３側に形成された回動用係合部１９に工具を当てて軸足本体１１を取り外す際に、この係止用円板部１４でコンクリートＣに密着している型枠板１５を剥離する機能を有する。そこで、図６と図７に示すように、この係止用円板部１４の外径（Ｌ１）は、型枠板１５に開けられた挿通孔１８の内径（Ｌ２）より十分大きくした。この係止用円板部１４の面積が狭いと、軸足本体１１を取り外すときに、型枠板１５の挿通孔１８を破損し、この型枠板１５をコンクリートＣから剥離させることができないからである。そこで、この係止用円板部１４の外径（Ｌ１）は、図示するように軸足本体１１の雄ねじ部１３の外径（Ｌ３）の３倍程度の長さが好ましい。長くても４倍程度の長さである。係止用円板部１４の外径（Ｌ１）が長すぎると、コンクリート壁体に大きな穴が残るおそれがあるためである。
【００３９】
この係止用円板部１４は、雌ねじ筒部１２側に截頭円錐状面部２０を、雄ねじ部１３側に平坦面部２１をそれぞれ有する。雄ねじ部１３側に平坦面部２１を形成したのは、この面に型枠板１５が当接する際に密着して安定した状態でこの型枠板１５を挟持固定できるようにするためである。一方、雌ねじ筒部１２側に截頭円錐状面部２０を形成したのは、コンクリートＣが打設され、硬化したコンクリートＣから剥離しやすいように、截頭円錐状に形成した。
【実施例２】
【００４０】
＜実施例２のコンクリート型枠用保持具３の構成＞
図８は実施例２のコンクリート型枠用保持具を示し、（ａ）は連結ねじ筒材の正面図、（ｂ）は連結ねじ筒材の左側面図、（ｃ）は軸足材の正面図、（ｄ）は軸足材の左側面図、（ｅ）は軸足材の右側面図である。図９は実施例２の型枠用保持具を用いたコンクリート壁体を構築する方法を示す説明図であり、（ａ）はセパレータに連結ねじ筒材を連結する状態、（ｂ）は連結ねじ筒材に軸足材を連結する状態、（ｃ）は軸足材に型枠板を取り付け、型枠締結具を取り付ける状態である。図１０は実施例２のコンクリート壁体を構築する方法を示す説明図であり、（ｄ）は完成した型枠にコンクリートを打設した状態、（ｅ）は軸足材の係止用円板部により硬化したコンクリートから型枠板を外す状態、（ｆ）はコンクリート壁体から軸足材と型枠板とを完全に取り外した状態である。
実施例２のコンクリート型枠用保持具３は、連結ねじ筒材３１と軸足材４１が分離した型枠保持具である。例えば金属製の連結ねじ筒材３１と、金属製の第１雄ねじ部４２と第２雄ねじ部４３とを有する軸足材４１と、この軸足材４１の中間に一体形成された係止用円板部４４とから成る型枠用保持具である。この型枠用保持具３は、コンクリートＣを打設する空間を形成する一対の型枠板１５について、セパレータ１６を用いて所定の間隔に保持する際に使用する。なお、型枠用保持具３は金属製に限定されず、強靭な強度を有する材質であればプラスチックで製造することも可能である。
【００４１】
＜連結ねじ筒材３１の構成＞
連結ねじ筒材３１は、セパレータ１６軸端部のねじ部１７に螺合連結される第１雌ねじ筒部３２と、第１雌ねじ筒部３２の反対側に軸足材４１と螺合連結される第２雌ねじ筒部３３を有する。ここで第１、第２と表記したのは、同様な形状の部材を区別するもので、個数、順番、等級を示すものではない。
【００４２】
連結ねじ筒材３１の内周には、隔壁３４を有している。この隔壁３４は、この連結ねじ筒材３１が硬化したコンクリートＣ内において、セパレータ１６のねじ部１７部分への浸水を防止する機能を有する。即ち、軸足材４１が螺合される第２雌ねじ筒部３３からの浸水を防止する。
【００４３】
連結ねじ筒材３１の外周は工具で回動し得るように回動用平坦面を有する。図示例では、横断面形状が六角形を示しているが、この六角形に限定されない。その横断面形状は四角形、五角形、七角形、八角形等とすることができる。
【００４４】
＜軸足材４１の構成＞
軸足材４１は、一端に第１雄ねじ部４２を、その他端に第２雄ねじ部４３が形成されている。軸足材４１の第１雄ねじ部４２は、連結ねじ筒材３１の第２雌ねじ筒部３３と、螺合連結される。軸足材４１の第２雄ねじ部４３は型枠板１５に開けられた挿通孔１８に挿通させて型枠板１５を挟持固定するために、型枠締結具２２に螺合される。この連結ねじ筒材３１の第１雌ねじ筒部３２にはセパレータ１６軸端部のねじ部１７が螺合連結されるので、この軸足材４１がセパレータ１６と螺合連結されることになる。この軸足材４１は、コンクリートＣが硬化した後で、回動させながら抜きとれるようになっている。
【００４５】
軸足材４１の他端に形成されている第２雄ねじ部４３は、型枠板１５に開けられた挿通孔１８に挿通させて型枠板１５を挟持固定するために螺合される。
この軸足材４１には、第２雄ねじ部４３側に工具を当てて回動させる回動用係合部４５が形成されている。この回動用係合部４５は、軸足材４１を連結ねじ筒材３１に連結する際にレンチ等の工具を用いて螺合する際に利用される。回動用係合部４５は、図８（ｅ）の右側面図に示すように、六角形状にした。
【００４６】
また、この連結ねじ筒材３１から取り外す際、硬化したコンクリートＣから型枠板１５を剥離する際の何れにも利用される。軸足材４１の回動用係合部４５が第２雄ねじ部４３側に形成されているので、Ｔ字スライドハンドル式レンチのような工具の先端を軸足本体１１に差し込み、その先端が適正な位置に当たれば、回動用係合部４５を捕らえたこと、即ち嵌合したことを意味する。そのまま回せば連結ねじ筒材３１から取り外すことができる。この工具の嵌合する回動用係合部４５の外径（Ｄ３）が、雄ねじ部１３のねじ山の外径（Ｄ４）より長いので（Ｄ３＞Ｄ４）、この工具で第２雄ねじ部４３のねじ山をつぶすことなく、回動させることができる。
【００４７】
＜係止用円板部４４の構成＞
軸足材４１の中間に一体形成されている鍔形状の係止用円板部４４は、第２雄ねじ部４３側に平坦面部４７を有する。第２雄ねじ部４３側に平坦面部４７を形成したのは、この面に型枠板１５が当接する際に密着して安定した状態でこの型枠板１５できるようにするためである。
【００４８】
本発明では、係止用円板部４４が軸足材４１に一体形成された構成であるために、係止用円板部４４が軸足材４１から分離しないので、第１雄ねじ部４２と第２雄ねじ部４３のねじ山が変形、破損せずに、連結ねじ筒材３１との螺合が可能であれば、何度でも再利用することができる。同様に、この連結ねじ筒材３１もセパレータ１６との螺合が可能な状態での使用であれば、何度でも再利用することができる。
【００４９】
この軸足材４１の第２雄ねじ部４３に、型枠締結具２２を螺合して、型枠板１５を係止用円板部４４の平坦面部４７との間に挟持して固定する。これで一対の型枠板１５をセパレータ１６ごとの所定間隔で保持して、コンクリートＣを打設する空間を形成することができる。
【００５０】
このように構成された型枠用保持具３（連結ねじ筒材３１、軸足材４１）は、係止用円板部４４の平坦面部４７を、型枠板１５の挿通孔１８の周囲に密着するように当接させ、セパレータ１６に着脱自在に連結してこのセパレータ１６で型枠板１５を固定することができる。その後、コンクリートＣが硬化した際に、係止用円板部４４でコンクリートＣに密着している型枠板１５を剥離するために、第２雄ねじ部４３に形成された回動用係合部４５に工具Ｔを当てて軸足材４１を取り外すことができる。特に、この回動用係合部４５の外径（Ｄ３）が、第２雄ねじ部４３のねじ山の外径（Ｄ４）より長いので（Ｄ３＞Ｄ４）、この工具で第２雄ねじ部４３のねじ山をつぶすことなく、回動させることができる(図８（ｃ）参照）。
【００５１】
また、本発明の型枠用保持具３（連結ねじ筒材３１、軸足材４１）では、従来のようなコンクリート製のコーン部を有していないので、保持具の重量の軽減化と小型化とが図ることができる。型枠保持具を箱詰め梱包した場合にも、その搬入時の振動等によって型枠保持具同士がぶつかり合っても損傷を来すことがない。
【００５２】
＜実施例２の型枠用保持具３を用いたコンクリート壁体の構築方法の構成＞
図１１は実施例２の型枠用保持具を用いたコンクリート壁体を構築する方法を示す作業フロー図である。
実施例２のコンクリート型枠用保持具３を用いたコンクリート壁体の構築方法は、セパレータ１６軸端部のねじ部１７に、連結ねじ筒材３１を螺合させる工程（図８（ａ））と、連結ねじ筒材３１に、軸足材４１を螺合させる工程（図８（ｂ））と、軸足材４１を型枠板１５に係止させ、型枠締結具２２で挟持固定し、一対の型枠板１５を所定間隔に保持する工程（図８（ｃ））と、その後コンクリートＣを打設する工程（図９（ｄ））と、コンクリートＣの硬化後に、連結ねじ筒材３１から軸足材４１を取り外す工程（図９（ｅ））と、コンクリート壁体から軸足材４１と型枠板１５とを完全に取り外す工程（図９（ｆ））とを有する。これは１本のセパレータ１６に、その両側にそれぞれ、型枠用保持具（連結ねじ筒材３１と軸足材４１）を連結する。以下、同様に１本のセパレータ１６の両側に、型枠板１５と型枠用保持具３を装着するものであるが、説明を簡略にするために一方の型枠用保持具３を取り付ける状態を示す。
【００５３】
図８（ａ）に示すように、セパレータ１６に連結ねじ筒材３１の第２雌ねじ筒部３２を螺合させる工程では、セパレータ１６軸端部のねじ部１７に、連結ねじ筒材３１の第１雌ねじ筒部３２を螺合させる。
図８（ｂ）に示すように、連結ねじ筒材３１に軸足材４１を螺合させる工程では、連結ねじ筒材３１の第２雌ねじ筒部３３に、軸足材４１の第１雄ねじ部４２を螺合させる。連結ねじ筒材３１の内周に隔壁４５があるので、セパレータ１６のねじ部１７への締め付け過ぎを防止でき、同じく軸足材４１の第１雄ねじ部４２との締め付け過ぎも防止することができる。
なお、予め連結ねじ筒材３１に軸足材４１を螺合させておき、この連結ねじ筒材３１をセパレータ１６に螺合させる順番でもよい。
【００５４】
図８（ｃ）に示すように、軸足材４１を型枠板１５に係止させ、型枠締結具２２で挟持固定し、一対の型枠板１５を所定間隔に保持する工程では、型枠板１５の挿通孔１８に軸足材４１の第２雄ねじ部４３を差し込み、この軸足材４１の中間に一体形成された係止用円板部４４の平坦面部４７を、型枠板１５の挿通孔１８周囲に密着するように当接させて、型枠板１５を係止させる。軸足材４１の第２雄ねじ部４３に型枠締結具２２を螺合させて型枠板１５を挟持固定し、一対の型枠板１５を所定間隔に保持する。これらの各工程を経て型枠が形成される。
【００５５】
このような構成のコンクリート壁体の構築方法では、係止用円板部４４の平坦面部４７を、型枠板１５の挿通孔１８周囲に密着するように当接させている。そこで、型枠用保持具３（連結ねじ筒材３１に軸足材４１）を、セパレータ１６に着脱自在に連結し、このセパレータ１６で型枠板１５を固定することができるので、この型枠板１５を安定した状態で保持することができる。
【００５６】
次に、図９（ｄ）に示すように、一対の型枠板１５間に形成されたコンクリート打設空間内にコンクリートＣを打設する。その後硬化するまで待つ。
【００５７】
型枠締結具２２を取り外し、図９（ｅ）に示すように、コンクリートＣの硬化後に、連結ねじ筒材３１から軸足材４１を取り外す工程では、硬化したコンクリートＣから、軸足材４１に形成された回動用係合部４５に工具を当ててこの軸足材４１を取り外すと同時に、この軸足材４１には係止用円板部４４が一体形成されているのでコンクリートＣに密着している型枠板１５を容易に剥離することができる。このように、係止用円板部４４が硬化したコンクリート壁体から型枠板１５を同時に剥離することができるため、解体作業を迅速に行うことができる。
【００５８】
最後に、図９（ｆ）に示すように、コンクリート壁体から軸足材４１と型枠板１５とを完全に取り外す工程では、連結ねじ筒材３１をコンクリート壁体内に残して軸足材４１を取り外す。なお、軸足材４１を抜き取り、コンクリート壁体に形成された空洞部Ｄには栓（図示していない）で覆う。または、この連結ねじ筒材３１の第２雌ねじ筒部３３を有効に利用することも可能である。
【００５９】
このように、連結ねじ筒材３１と軸足材４１を有する型枠保持具３を用いたコンクリート壁体の構築方法では、係止用円板部４４の平坦面部４７を、型枠板１５の挿通孔１８周囲に密着するように当接させ、セパレータ１６に着脱自在に連結してセパレータ１６で型枠板１５を固定することができるので、この型枠板１５を安定した状態で保持することができる。
係止用円板部４４が軸足材４１に一体形成された構成であるために、セパレータ１６からこの軸足材４１を取り外す際、即ち連結ねじ筒材３１から軸足材４１を取り外す際に、この係止用円板部４４が硬化したコンクリート壁体から型枠板１５を同時に剥離することができ、従来困難だった型枠板１５の剥離作業を迅速に行うことができる。
【００６０】
＜実施例２の回動用係合部４５の変形例＞
図１２は実施例２の型枠用保持具の回動用係合部の変形例を示し、（ａ）は連結ねじ筒材の正面図、（ｂ）は連結ねじ筒材の左側面図、（ｃ）は軸足材の正面図、（ｄ）は軸足材の左側面図、（ｅ）は軸足材の右側面図である。
上述した図示例では、型枠用保持具３の回動用係合部４５を断面形状で六角形状のものを示している。しかし、型枠用保持具３は取り外す際に、工具Ｔで回転させ得る形状であれば六角形状のものに限定されない。例えば、図１２（ｅ）に示すように断面形状で八角形状にすることもできる。その他に工具と係合し得る形状であればこれらの六角形状、八角形状にも限定されない。長円形状、楕円形状にすることも可能である。その他種々の形状にすることができる。
【００６１】
＜実施例２の係止用円板部４４の変形例＞
図１３は実施例２の係止用円板部の変形例を示し、（ａ）は連結ねじ筒材の正面図、（ｂ）は連結ねじ筒材の左側面図、（ｃ）は軸足材の正面図、（ｄ）は軸足材の左側面図、（ｅ）は軸足材の右側面図である。図１４は実施例２の係止用円板部の変形例のコンクリート型枠用保持具をセパレータに連結し、型枠板に取り付けた状態を示す正面図である。
本発明の係止用円板部４４は、コンクリートＣから、軸足材４１の第２雄ねじ部４３に形成された回動用係合部４５に工具Ｔを当てて軸足材４１を取り外す際に、この係止用円板部４４でコンクリートＣに密着している型枠板１５を剥離する機能を有する。そこで、図１４に示すように、この係止用円板部４４の外径（Ｌ４）は、型枠板１５に開けられた挿通孔１８の内径（Ｌ２）より十分大きくした。この係止用円板部４４の面積が狭いと、軸足材４１を取り外すときに、型枠板１５の挿通孔１８を破損し、この型枠板１５をコンクリートＣから剥離させることができないからである。そこで、この係止用円板部４４の外径（Ｌ４）は、図示するように軸足材４１の第２雄ねじ部４３の外径（Ｌ３）の３倍程度の長さが好ましい。長くても４倍程度の長さである。係止用円板部４４の外径（Ｌ４）が長すぎると、コンクリート壁体に大きな穴が残るおそれがあるためである。
【００６２】
この係止用円板部４４は、第１雄ねじ部４２側に截頭円錐状面部４６を、第２雄ねじ部４３側に平坦面部４７をそれぞれ有する。第２雄ねじ部４３側に平坦面部４７を形成したのは、この面に型枠板１５が当接する際に密着して安定した状態でこの型枠板１５を支持固定できるようにするためである。一方、第１雄ねじ部４２側に截頭円錐状面部４６を形成したのは、コンクリートＣが打設され、硬化したコンクリートＣから剥離しやすいように、截頭円錐に形成した。
【実施例３】
【００６３】
＜実施例３のコンクリート型枠用保持具５１の構成＞
図１５は実施例３のコンクリート型枠用保持具を示し、（ａ）は軸足本体の正面図、（ｂ）は軸足本体の左側面図、（ｃ）は軸足本体の右側面図である。
実施例３のコンクリート型枠用保持具５１は、上述した実施例１の回動用係合部１９に代えて、回動用平行面５９を構成したものである。雄ねじ部１３の先端外周部には、軸足本体１１に工具を当てて回動させる回動用平行面５９を形成した。この回動用平行面５９は、軸足本体１１をセパレータ１６に連結する際にレンチ等の工具を用いて螺合する際に利用される。また、このセパレータ１６から取り外す際、硬化したコンクリートＣから型枠板１５を剥離する際にも利用される。
【実施例４】
【００６４】
＜実施例４のコンクリート型枠用保持具６１の構成＞
図１６は実施例４のコンクリート型枠用保持具を示し、（ａ）は連結ねじ筒材の正面図、（ｂ）は連結ねじ筒材の左側面図、（ｃ）は軸足材の正面図、（ｄ）は軸足材の左側面図、（ｅ）は軸足材の右側面図である。
実施例４のコンクリート型枠用保持具６１は、上述した実施例２の回動用係合部４５に代えて、回動用平行面６５を構成したものである。第２雄ねじ部４３の先端外周部には、軸足材４１に工具を当てて回動させる回動用平行面６５を形成した。この回動用平行面６５は、軸足材４１を連結ねじ筒材３１に連結する際にレンチ等の工具を用いて螺合する際に利用される。また、この連結ねじ筒材３１から取り外す際、硬化したコンクリートＣから型枠板１５を剥離する際の何れにも利用される。
【００６５】
なお、本発明は、軸足本体１１又は軸足材４１に型枠板１５を係止する係止用円板部１４、４４を一体化することで、型枠板１５を安定して固定でき、また何回でも再利用することがき、更に硬化したコンクリート壁体から型枠板１５を容易に剥離することができ、解体作業を迅速に行うことができることができる構成であれば、上述した発明の実施の形態に限定されず、本発明の要旨を逸脱しない範囲で種々変更できることは勿論である。
【産業上の利用可能性】
【００６６】
本発明のコンクリート型枠用保持具１，３，５１，６１及びこれを用いたコンクリート壁体の構築方法は、型枠として使用するものであればコンクリート用に限定されず、種々の型枠の保持具に利用することができる。
【符号の説明】
【００６７】
１  型枠用保持具
１１  軸足本体
１２  雌ねじ筒部
１３  雄ねじ部
１４  係止用円板部
Ｌ１  係止用円板部の外径
Ｌ２  型枠板挿通孔の内径
Ｌ３  軸足本体の雄ねじ部の外径
１５  型枠板
１６  セパレータ
１７  セパレータのねじ部
１８  型枠板の挿通孔
１９  回動用係合部
２２  型枠締結具
２０  截頭円錐状面部
２１  平坦面部
Ｄ１  軸足本体の外径
Ｄ２  雄ねじ部の外径
３  型枠用保持具
３１  連結ねじ筒材
３２  第１雌ねじ筒部
３３  第２雌ねじ筒部
３４  隔壁
４１  軸足材
４２  第１雄ねじ部
４３  第２雄ねじ部
４４  係止用円板部
４５  回動用係合部
Ｌ４  係止用円板部の外径
Ｌ５  軸足材の第２雄ねじ部の外径
４５  回動用平行面
４６  截頭円錐状面部
４７  平坦面部
Ｄ３  軸足材の外径
Ｄ４  第２雄ねじ部の外径
５１，６１  型枠用保持具
Ｃ  コンクリート
【図１】
0006347520.tif 000002
【図２】
0006347520.tif 000003
【図３】
0006347520.tif 000004
【図４】
0006347520.tif 000005
【図５】
0006347520.tif 000006
【図６】
0006347520.tif 000007
【図７】
0006347520.tif 000008
【図８】
0006347520.tif 000009
【図９】
0006347520.tif 000010
【図１０】
0006347520.tif 000011
【図１１】
0006347520.tif 000012
【図１２】
0006347520.tif 000013
【図１３】
0006347520.tif 000014
【図１４】
0006347520.tif 000015
【図１５】
0006347520.tif 000016
【図１６】
0006347520.tif 000017